(57)【特許請求の範囲】
【請求項１】
吸収体と、前記吸収体の肌側を覆う透液性のトップシートと、前記吸収体の非肌側を覆う防水シートとを備え、
前記防水シートの少なくとも着用者の体液排出部を含む領域に、前記吸収体側に固定されない開口予定部分が設けられ、前記防水シートが前記開口予定部分より外側において防水シート固定用粘着剤層によって前記吸収体側に固定されており、前記防水シート固定用粘着剤層が前記開口予定部分の周囲に沿って連続して形成され、
かつ前記防水シートの非肌側に、被覆シート固定用粘着剤層を介して前記開口予定部分より広い領域を覆うとともに、前記開口予定部分より外側の領域では前記被覆シート固定用粘着剤層を剥離可能に覆い、前記開口予定部分では前記被覆シート固定用粘着剤層に剥離不能に接合された被覆シートが配設され、
前記防水シートの非肌側に、前記開口予定部分と一致する開口部が形成されたバックシートが接合されるとともに、前記被覆シートが前記バックシートの開口部を通して前記防水シートの開口予定部分と剥離不能に接合されており、前記防水シートと前記バックシートとが前記バックシートの開口部の周囲に沿って連続した接合部によって接合され、
前記被覆シートの剥離により、前記防水シートが前記開口予定部分の周囲に沿って引き裂かれ、開口が形成されるようにしたことを特徴とする吸収性物品。
【請求項２】
前記開口予定部分の周囲に沿って引裂線が形成されている請求項１記載の吸収性物品。
【請求項３】
前記開口予定部分より外側の前記防水シートが前記吸収体側に固定されている請求項１、２いずれかに記載の吸収性物品。
【請求項４】
前記被覆シートと前記開口予定部分の防水シートとの接合強度は、前記開口予定部分の周囲に沿う防水シートの引裂強度より大きく設定されている請求項１〜３いずれかに記載の吸収性物品。
【請求項５】
前記被覆シートは、前記開口予定部分より外側の当接面に剥離処理が施され、前記開口予定部分との当接面には剥離処理が施されていない請求項１〜４いずれかに記載の吸収性物品。
【請求項６】
前記被覆シート固定用粘着剤層は、前記被覆シートのほぼ全面に設けられるか、前記開口予定部分の周囲において内外方向に間隔をあけた中央部と外周部とにそれぞれ設けられている請求項１〜５いずれかに記載の吸収性物品。
【発明の詳細な説明】
【技術分野】
【０００１】
本発明は、使い捨ておむつ、失禁パンツ、おむつカバーなどのアウターの内面に装着して使用される尿取りパッド、失禁パッドなどの吸収性物品に係り、詳しくは非肌側が不透液性とされた簡易交換用としての使用態様と、非肌側が透液性とされた補助吸収用としての使用態様とを選択可能とした吸収性物品に関する。
【背景技術】
【０００２】
従来より、使い捨ておむつなどのアウターの内面に装着して使用される尿取りパッドなどのインナーパッドとして、前記簡易交換用としての使用態様と、前記補助吸収用としての使用態様の２通りがあることが知られている。前記簡易交換用としての使用態様では、頻繁に使い捨ておむつを交換する手間を軽減するとともに、おむつの購入費用を削減することなどを目的として、尿を吸収したインナーパッドのみを交換して使い捨ておむつを繰り返し使用できるように、吸収体に吸収された尿のアウター側への漏れを防止するため、インナーパッドの非肌側が不透液性のシート材で覆われている。この簡易交換用のインナーパッドは、昼間などパッドを頻繁に交換できるときに主に使用されている。
【０００３】
一方、前記補助吸収用としての使用態様では、使い捨ておむつなどのアウターの吸収能力を増大させることなどを目的として、使い捨ておむつの内面に積層して使用し、吸収体に吸収された尿が速やかに使い捨ておむつの吸収体に移行するように、インナーパッドの非肌側が透液性のシート材で覆われている。この補助吸収用のインナーパッドは、就寝時などパッドを長時間に亘って交換できないときに主に使用されている。
【０００４】
このように、前記簡易交換用としての使用態様ではアウターに尿が溢れ出ないことが要求される一方で、前記補助吸収用としての使用態様ではインナーパッド及びアウターの各吸収体の吸収性能を有効に活用するため、インナーパッドからアウター側に尿がスムーズに移行することが要求されている。このように、簡易交換用としての使用態様と補助吸収用としての使用態様とでは、相反する性能が要求されることとなる。
【０００５】
従来のインナーパッドでは、非肌側のシート材を不透液性とするか透液性とするかによって、何れか一方の機能を備えることしかできなかったため、使用者は各機能に応じたパッドを２種類用意しておかなければならなかった。
【０００６】
ところが近年では、このようなパッドにも幾多の改良が重ねられ、１つのパッドで簡易交換用としての使用態様と、補助吸収用としての使用態様とを選択可能としたものが提案されている。例えば、下記特許文献１では、内面側に液透過性のトップシートが、内部に前記トップシートを通過した液を吸収する吸収コアが、外面側に液不透過性のバックシートが設けられ、前記バックシートには、前記吸収コアを透過した液を通過させる開口部が形成されている吸収性物品が開示されている。
【０００７】
また、下記特許文献２では、液透過性のトップシートと、液不透過性のバックシートと、これら両シートの間に配置された吸収体を有する吸収性物品において、前記バックシートに線状の引裂線を形成する分離手段を具備したことにより、前記バックシートに開口部を形成することができる吸収性物品が開示されている。
【先行技術文献】
【特許文献】
【０００８】
【特許文献１】特許第３７５６０００号公報
【特許文献２】特許第４０２３００５号公報
【発明の概要】
【発明が解決しようとする課題】
【０００９】
しかしながら、上記特許文献１に記載の吸収性物品では、液不透過性のバックシートに予め液を通過させる開口部が形成されているため、吸収性物品の製造工程において、バックシートに開口部を形成する工程が余計に必要になるとともに、バックシートと吸収体とを接合する際に前記開口部を避けて接着剤を塗布しなければならないため、接着剤の塗布範囲が制限されるという、製造工程上の制約があった。
【００１０】
また、上記特許文献２に記載の吸収性物品では、バックシートに線状の引裂線を形成する分離手段として、ミシン目状の切り込み線などが挙げられているが、簡易交換用としての使用態様において、このミシン目を通じて吸収体に吸収された尿がアウターの使い捨ておむつ側に浸出するおそれがあった。
【００１１】
そこで本発明の主たる課題は、簡易交換用としての使用態様においてアウターへの尿の漏れ出しを防止するとともに、製造工程が簡略化できるようにした吸収性物品を提供することにある。
【課題を解決するための手段】
【００１２】
上記課題を解決するために請求項１に係る本発明として、吸収体と、前記吸収体の肌側を覆う透液性のトップシートと、前記吸収体の非肌側を覆う防水シートとを備え、
前記防水シートの少なくとも着用者の体液排出部を含む領域に、前記吸収体側に固定されない開口予定部分が設けられ、前記防水シートが前記開口予定部分より外側において防水シート固定用粘着剤層によって前記吸収体側に固定されており、前記防水シート固定用粘着剤層が前記開口予定部分の周囲に沿って連続して形成され、
かつ前記防水シートの非肌側に、被覆シート固定用粘着剤層を介して前記開口予定部分より広い領域を覆うとともに、前記開口予定部分より外側の領域では前記被覆シート固定用粘着剤層を剥離可能に覆い、前記開口予定部分では前記被覆シート固定用粘着剤層に剥離不能に接合された被覆シートが配設され、
前記防水シートの非肌側に、前記開口予定部分と一致する開口部が形成されたバックシートが接合されるとともに、前記被覆シートが前記バックシートの開口部を通して前記防水シートの開口予定部分と剥離不能に接合されており、前記防水シートと前記バックシートとが前記バックシートの開口部の周囲に沿って連続した接合部によって接合され、
前記被覆シートの剥離により、前記防水シートが前記開口予定部分の周囲に沿って引き裂かれ、開口が形成されるようにしたことを特徴とする吸収性物品が提供される。
【００１３】
上記請求項１記載の発明では、非肌側が前記防水シートで覆われるとともに、前記防水シートの非肌側に被覆シート固定用粘着剤層を介して前記開口予定部分より広い領域を覆う被覆シートが配設された状態で、使い捨ておむつなどのアウターの内面に装着して使用する簡易交換用としての使用態様と、前記被覆シートの剥離により、前記防水シートが前記開口予定部分の周囲に沿って引き裂かれ、防水シートに開口を形成した状態で、使い捨ておおむつなどのアウターの内面に装着して使用する補助吸収用としての使用態様とが選択可能となっている。
【００１４】
前記簡易交換用としての使用態様においては、前記防水シートの非肌側に開口予定部分より広い領域を覆う被覆シートが被覆シート固定用粘着剤層を介して配設されるため、防水シートに開口予定部分の周囲に沿ってミシン目等の引裂線を形成した場合でも、この引裂線から浸出した尿がアウターに漏れ出すのが防止できるようになる。
【００１５】
また、補助吸収用としての使用態様においては、前記被覆シートを剥離することにより、防水シートが前記開口予定部分の周囲に沿って引き裂かれ、開口が形成されるため、この開口を通じてアウターへの尿の移行がスムーズに行われるようになる。
【００１６】
また、本吸収性物品では、防水シートに予め開口を設けずに、補助吸収用として使用するときに前記被覆シートを剥離することによって開口を形成するようにしているため、防水シートに開口を設ける製造工程を省くことができ、製造工程が簡略化できるようになる。
【００１７】
また、上記請求項１記載の発明では、防水シートの非肌側に、開口予定部分と一致する開口部が形成されたバックシートを接合し、このバックシートの開口部を通して被覆シートを防水シートの開口予定部分と剥離不能に接合しているため、開口予定部分より外側の防水シートが前記バックシートによって補強され、防水シートが開口予定部分の周囲に沿って引き裂きやすくなる。
【００１８】
請求項２に係る本発明として、前記開口予定部分の周囲に沿って引裂線が形成されている請求項１記載の吸収性物品が提供される。
【００１９】
上記請求項２記載の発明は、補助吸収用として使用するため被覆シートを剥離する際、前記開口予定部分の周囲に沿った防水シートの引き裂きを容易化するための第１の手段であり、前記開口予定部分の周囲に沿ってミシン目等の引裂線を形成するようにしたものである。これにより、前記引裂線に沿って防水シートを容易に引き裂くことができるようになる。なお、前述の通り、簡易交換用としての使用態様では、前記引裂線の外面側が被覆シート固定用粘着剤層を介して被覆シートによって覆われているため、引裂線から浸み出した尿がアウターに漏れることはない。
【００２０】
請求項３に係る本発明として、前記開口予定部分より外側の前記防水シートが前記吸収体側に固定されている請求項１、２いずれかに記載の吸収性物品が提供される。
【００２１】
上記請求項３記載の発明は、補助吸収用として使用するため被覆シートを剥離する際、前記開口予定部分の周囲に沿った防水シートの引き裂きを容易化するための第２の手段であり、防水シートを前記開口予定部分で吸収体側に固定せず、開口予定部分より外側において吸収体側に固定するようにしたものである。これによって、防水シートが吸収体側に固定される領域と固定されない領域との境界線に沿って防水シートを容易に引き裂くことができるようになる。
【００２２】
請求項４に係る本発明として、前記被覆シートと前記開口予定部分の防水シートとの接合強度は、前記開口予定部分の周囲に沿う防水シートの引裂強度より大きく設定されている請求項１〜３いずれかに記載の吸収性物品が提供される。
【００２３】
上記請求項４記載の発明では、前記被覆シートと前記開口予定部分の防水シートとの接合強度を、前記開口予定部分の周囲に沿う防水シートの引裂強度より大きくすることにより、補助吸収用として使用するため被覆シートを剥離する際、被覆シートと防水シートとの接合が剥離することなく、防水シートが開口予定部分の周囲に沿って引き裂かれるようになり、防水シートに開口がスムーズに形成できるようになる。
【００２４】
請求項５に係る本発明として、前記被覆シートは、前記開口予定部分より外側の当接面に剥離処理が施され、前記開口予定部分との当接面には剥離処理が施されていない請求項１〜４いずれかに記載の吸収性物品が提供される。
【００２５】
上記請求項５記載の発明では、防水シートの非肌側に被覆シート固定用粘着剤層を介して配設された被覆シートが、開口予定部分より外側の領域で前記被覆シート固定用粘着剤層を剥離可能に覆い、開口予定部分で前記被覆シート固定用粘着剤層に剥離不能に接合されるようにするため、開口予定部分より外側の当接面に剥離処理を施し、開口予定部分との当接面には剥離処理を施さないようにしている。
【００２６】
請求項６に係る本発明として、前記被覆シート固定用粘着剤層は、前記被覆シートのほぼ全面に設けられるか、前記開口予定部分の周囲において内外方向に間隔をあけた中央部と外周部とにそれぞれ設けられている請求項１〜５いずれかに記載の吸収性物品が提供される。
【００２７】
上記請求項６記載の発明では、被覆シートのほぼ全面に前記被覆シート固定用粘着剤層を設けることによって、開口予定部分の全面が前記被覆シート固定用粘着剤層で覆われるため、開口予定部分の周囲に沿って防水シートを引き裂きやすくなる。一方、前記被覆シート固定用粘着剤層を開口予定部分の周囲に沿って内外方向に間隔をあけた中央部と外周部とにそれぞれ設けることによって、例えば開口予定部分の周囲に沿ってミシン目等の引裂線を形成したとき、被覆シート固定用粘着剤層によって引裂線が引き裂きにくくなるのが防止できるようになる。
【発明の効果】
【００２８】
以上詳説のとおり本発明によれば、簡易交換用としての使用態様においてアウターへの尿の漏れ出しが防止できるとともに、製造が簡略化できるようになる。
【図面の簡単な説明】
【００２９】
【図１】インナーパッド１の使用状態（アウター３０への装着状態）を示す展開図である。
【図２】図１のII−II線矢視図である。
【図３】本発明に係るインナーパッド１の一部破断裏面図（簡易交換用としての使用態様）である。
【図４】図３のIV−IV線矢視図である。
【図５】吸収補助用としての使用態様を示す裏面図である。
【図６】図５のVI−VI線矢視図である。
【図７】被覆シート１１の剥離操作要領を示す裏面図である。
【図８】防水シート固定用粘着剤層１２の範囲を示す防水シート４の平面図である。
【図９】被覆シート固定用粘着剤層１３の範囲を示すインナーパッド１の裏面図である。
【図１０】被覆シート固定用粘着剤層１３の範囲の変形例を示す平面図である。
【図１１】(A)〜(D)は、開口予定部分１０の変形例を示す平面図である。
【図１２】他の形態例に係るインナーパッド１の断面図である。
【発明を実施するための形態】
【００３０】
以下、本発明の実施の形態について図面を参照しながら詳述する。なお、本発明における「長手方向」とは、インナーパッド１の前側と後側を結ぶ方向を意味し、「幅方向」とは長手方向と直交する方向（インナーパッド１の展開時の左右方向）を意味する。
【００３１】
本発明に係るインナーパッド１は、図１及び図２に示されるように、使い捨ておむつ、失禁パンツ、おむつカバーなどのアウター３０の内面に装着して使用されるものであり、具体的には尿取りパッドや失禁パッドなどとして知られるものである。
【００３２】
前記アウター３０（使い捨ておむつ）は、図１及び図２に示されるように、不織布などからなる透液性トップシート３１と、バックシート３２との間に、綿状パルプ等からなる吸収体３３を介在させた構造から成る。より具体的には、有孔または無孔の不織布や孔開きプラスチックシート等からなり使用面側を覆う透液性トップシート３１と、不織布からなりおむつの外面側を覆うとともに、おむつ両側部では後述のギャザーシート３５とともにサイドフラップ部を構成するバックシート３２と、前記透液性トップシート３１とバックシート３２との間に介在された、綿状パルプ等からなる、たとえば砂時計形状（または長方形状等）のある程度の剛性を有する吸収体３３と、前記吸収体３３とバックシート３２との間に少なくとも吸収体３３の全面積を覆うように配設されたポリエチレン等からなる防水フィルム３４と、アウター３０の両側部に肌側に起立する立体ギャザー３６、３６を形成するとともに、おむつ両側部では前記バックシート３２とともにサイドフラップ部を構成するためのギャザーシート３５とから主に構成されている。なお、前記吸収体３３は、形状保持と透液性トップシート３１を透過した体液の拡散性向上のためにクレープ紙や不織布等からなる被包シートによって囲繞されているのが好ましい。
【００３３】
前記インナーパッド１は、図３及び図４に示されるように、綿状パルプ等からなり、たとえば略砂時計状のある程度の剛性を有するとともに、必要に応じてクレープ紙や不織布等からなる被包シートによって囲繞された吸収体２と、前記吸収体２の肌側（表面側）を覆うように配設された有孔または無孔の不織布や孔開きプラスチックシート等からなる透液性のトップシート３と、前記吸収体２の非肌側を覆うように配設されたポリエチレン等からなる不透液性の防水シート４とから主に構成されている。また、前記吸収体２の周囲において、その吸収体２の外縁よりも外側に延出しているトップシート３と防水シート４とがホットメルトなどの接着剤やヒートシール、超音波シール等の接合手段によって接合され、外周に吸収体２の存在しない外周フラップ部が形成されている。
【００３４】
前記インナーパッド１は、アウター３０の前側領域から後側領域に亘る製品長とされるとともに、アウター３０の立体ギャザー３６、３６間に配置可能であって、アウター３０の吸収体３３より小さな寸法幅で形成されている。
【００３５】
前記吸収体２は、たとえばフラッフ状パルプと高吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。吸収体２を囲繞するクレープ紙を設ける場合には、結果的にトップシート３と吸収体２との間にクレープ紙が介在することになり、吸収性に優れる前記クレープ紙によって体液を速やかに拡散させるとともに、これら尿の逆戻りを防止するようになる。
【００３６】
前記吸収体２は、図示例では平面形状を略砂時計状として成形されたものが使用され、股下部では吸収体の幅寸法を狭めることにより股間部への当たりを弱くし着用者にゴワ付き感を与えないようにしているが、略長方形状として成形されたものを使用してもよい。この吸収体２は、形状保持とトップシート３を透過した体液の拡散性向上のために前記被包シートによって被包されているのが好ましい。
【００３７】
前記吸収体２の肌側（上層側）を覆う透液性のトップシート３としては、液を透過する性質を有し、例えば、有孔または無孔の不織布や多孔性プラスチックシートなどが好適に用いられる。不織布を構成する素材繊維は特に限定されない。例えば、ポリエチレンまたはポリプロピレン等のオレフィン系、ポリエステル系、ポリアミド系等の合成繊維の他、レーヨンやキュプラ等の再生繊維、綿等の天然繊維などや、これらから二種以上が使用された混合繊維、複合繊維などを例示することができ、スパンレース法、スパンボンド法、サーマルボンド法、メルトブローン法、ニードルパンチ法、エアスルー法、ポイントボンド法等の適宜の加工法によって得られた不織布を用いることができる。これらの加工法の内、スパンレース法は柔軟性、スパンボンド法はドレープ性に富む点で優れ、サーマルボンド法、ポイントボンド法及びエアスルー法は嵩高で圧縮復元性（＝ソフト性）が高い点で優れている。また、トップシート３は、１枚のシートから成るものであっても、２枚以上のシートを貼り合わせて得た積層シートから成るものであってもよい。透液性トップシート３に多数の透孔を形成した場合には、尿などが速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００３８】
前記吸収体２の非肌側（下層側）を覆う防水シート４は、特に限定されるものではないが、例えば、ポリエチレンまたはポリプロピレンなどのオレフィン系樹脂等からなるプラスチックフィルムや不織布の表面にプラスチックフィルムを設けたラミネート不織布、プラスチックフィルムに不織布等を重ねて接合した積層シートなどを例示することができるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。この他にも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも用いることができる。前記防水シート４の外縁は、インナーパッド１の外縁とほぼ一致している。
【００３９】
本インナーパッド１においては、前記防水シート４の少なくとも着用者の排尿口部Ｈを含む領域に、前記吸収体２側に固定されない開口予定部分１０が設けられ、かつ前記防水シート４の非肌側に、被覆シート固定用粘着剤層１３を介して前記開口予定部分１０より広い領域を覆うとともに、前記開口予定部分１０より外側の領域では前記被覆シート固定用粘着剤層１３を剥離可能に覆い、前記開口予定部分１０では前記被覆シート固定用粘着剤層１３に剥離不能に接合された被覆シート１１が配設されている。そして、前記被覆シート１１の剥離により、前記防水シート４が前記開口予定部分１０の周囲に沿って引き裂かれ、防水シート４に開口１４が形成されるようにしている。
【００４０】
本インナーパッド１では、図３及び図４に示されるように、非肌側が防水シート４で覆われるとともに、防水シート４の非肌側に前記被覆シート固定用粘着剤層１３を介して開口予定部分１０より広い領域を覆う被覆シート１１が配設された状態で、アウター３０の内面に装着して使用する簡易交換用としての使用態様と、図５〜図７に示されるように、前記被覆シート１１の剥離により、前記防水シート４が開口予定部分１０の周囲に沿って引き裂かれ、防水シート４に開口１４を形成した状態で、アウター３０の内面に装着して使用する補助吸収用としての使用態様とが選択可能となっている。
【００４１】
前記開口予定部分１０は、前記防水シート４において、少なくとも着用者の排尿口部Ｈを含む領域、好ましくは着用者の排尿口部Ｈより広い縦長の領域に設けられた、前記吸収体４側に固定されない部分のことであり、防水シート４の幅方向及び長手方向の中間部に略矩形状、円形状、楕円形状等の外形で形成された部分である。前記開口予定部分１０の外縁は必ずしも明確である必要はないが、後述するように開口予定部分１０の周囲に沿って防水シート４に引裂線１５が形成される場合には、この引裂線１５が開口予定部分１０の外縁であり、防水シート４が前記開口予定部分１０より外側において防水シート固定用粘着剤層１２により吸収体２側に固定される場合には、この防水シート固定用粘着剤層１２の内縁又はこれより内側の近傍に沿った位置が開口予定部分１０の外縁である。また、後述するように、被覆シート１１のほぼ全面に被覆シート固定用粘着剤層１３が設けられた場合において、被覆シート１１に剥離処理を施した外周部分と、剥離処理を施さない中央部分との境界を開口予定部分１０の外縁と定義することも可能である。
【００４２】
前記開口予定部分１０を画成する第１の手段として、図３に示されるように、前記開口予定部分１０の周囲に沿って引裂線１５を形成することができる。これにより、前記引裂線１５に沿って防水シート４を容易に引き裂くことができるようになる。前記引裂線１５は、ミシン目、スリット、切り込み線、圧縮線などの公知の技術で形成される線状弱化領域であり、特に、タイ：カット＝１〜５ｍｍ：２〜５ｍｍのミシン目であることが好ましい。前記引裂線１５は、防水シート４の長手方向及び幅方向の中間部に閉合するパターンで形成されている。前記引裂線１５を形成する場合、前記引裂線１５の線上及びその近傍において、防水シート４と被覆シート１１とを接合する被覆シート固定用粘着剤層１３や防水シート４を吸収体２側に固定する防水シート固定用粘着剤層１２を設けてもよいが、設けない方が引裂線１５での引き裂きが容易となるため好ましい。
【００４３】
前記開口予定部分１０を画成する第２の手段としては、図８に示されるように、前記防水シート４を前記開口予定部分１０より外側において防水シート固定用粘着剤層１２によって吸収体２側に固定することによって形成することができる。これによって、防水シート４が吸収体２側に固定される領域と固定されない領域との境界線に沿って防水シート４を容易に引き裂くことができるようになる。前記防水シート固定用粘着剤層１２は、開口予定部分１０の近傍では周囲に沿って連続して形成するのが好ましく、それ以外の領域では連続的又は間欠的に形成することができる。
【００４４】
前記防水シート固定用粘着剤層１２を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００４５】
前記開口予定部分１０は、図３に示されるように、防水シート４の中央部に１箇所設けるのが好ましいが、インナーパッド１の長手方向及び幅方向のいずれか一方又は両方に離間する２箇所以上に設けることも可能である。前記開口予定部分１０の大きさとしては、長手方向の寸法が３０〜５００ｍｍ、幅方向の寸法が１０〜１００ｍｍとするのが好ましい。
【００４６】
前記被覆シート１１としては、上記防水シート４と同様に、液不透過性の性質を有するものであれば特に限定されるものではないが、例えば、ポリエチレンまたはポリプロピレンなどのオレフィン系樹脂等からなるプラスチックフィルムや不織布の表面にプラスチックフィルムを設けたラミネート不織布、プラスチックフィルムに不織布等を重ねて接合した積層シートなどを例示することができるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。この他にも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも用いることができる。前記被覆シート１１は、防水シート４より引裂強度が大きなものを用いるのが好ましい。これにより、被覆シート１１を剥離する際、被覆シート１１が引き裂かれることなく、防水シート４を確実に引き裂くことができるようになる。
【００４７】
前記被覆シート１１は、図３及び図９に示されるように、前記開口予定部分１０より広い領域を覆う大きさで形成されている。つまり、開口予定部分１０との当接面の周囲により外側に延在する外周延在部１１ｂを有するように形成されている。この外周延在部１１ｂの幅としては、防水シート４にミシン目等の引裂線１５を設けた場合、この引裂線１５から浸出した尿を十分に堰き止めることができる幅で設けられ、具体的には５〜１５ｍｍ程度とするのが好ましい。前記被覆シート１１の形状は、開口予定部分１０より外側に延在する外周延在部１１ｂが開口予定部分１０の全周に亘ってほぼ等幅に形成されるように、開口予定部分１０と相似形をなすように形成するのが好ましい。また、前記被覆シート１１は、インナーパッド１の長手方向の一方側端に、一部が外方側に延出する摘み部１１ａを設けるのが好ましい。図示例では、前記摘み部１１ａに被覆シート固定用粘着剤層１３が介在しないようにしているが、この摘み部１１ａにも被覆シート固定用粘着剤層１３を介在し、摘み部１１ａが被覆シート固定用粘着剤層１３を剥離可能に覆うようにしてもよい。
【００４８】
前記被覆シート１１は、図９に示されるように、被覆シート固定用粘着剤層１３を介して防水シート４の非肌側に設けられ、前記開口予定部分１０より外側の領域では前記被覆シート固定用粘着剤層１３を剥離可能に覆い、前記開口予定部分１０では前記被覆シート固定用粘着剤層１３に剥離不能に接合されている。このように構成するには、前記被覆シート１１として被覆シート固定用粘着剤層１３に対して剥離不能に接合する性質を有する素材を用いた上で、前記開口予定部分１０より外側の外周延在部１１ｂに剥離処理が施され、前記開口予定部分１０との当接面となる中央部分には前記剥離処理が施されないようにすることができる。前記剥離処理は、前記開口予定部分１０より外側に配置された被覆シート固定用粘着剤層１３に対する当接面に対し、例えばシリコーン系樹脂、フッ素系樹脂、または四フッ化エチレン系樹脂などの離型処理液を塗工するかスプレー塗布することによって行うことができる。なお、特別に剥離処理をしなくても、実質的に粘着力の低下を招かないものであれば、フィルムそのものであっても、不織布そのものであっても良い。また、前記剥離処理は、被覆シート１１を構成するシート材に直接施してもよいし、剥離処理が施された別体のシート材又は実質的に粘着力の低下を招かない素材を被覆シート１１の所定の領域に貼着することにより成してもよい。
【００４９】
前記被覆シート固定用粘着剤層１３を形成する粘着剤としては、上記防水シート固定用粘着剤層１２と同様に、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００５０】
前記被覆シート１１と前記開口予定部分１０の防水シート４との接合強度は、前記開口予定部分１０の周囲に沿って防水シート４を引き裂いたときの引裂強度より大きく設定するのが好ましい。これにより、補助吸収用として使用するため剥離シート１１を剥離したとき、剥離シート１１と防水シート４との接合が剥離することなく防水シート４が開口予定部分１０の周囲に沿って引き裂かれるようになり、防水シート４に開口１４がスムーズに形成できるようになる。
【００５１】
前記被覆シート１１と前記開口予定部分１０の防水シート４との接合強度は、５０〜２５０ｇｆ／２５ｍｍ、好ましくは９０〜１９０ｇｆ／２５ｍｍ程度とするのがよい。前記接合強度は、接着剤を用いる場合には接着剤の種類とその塗布量により調整することができる。前記接合強度（１８０度剥離強度）の測定は、引張試験機（例えばＳＨＩＭＡＤＺＵ社製のＡＯＵＴＧＲＡＰＨＡＧＳ−Ｇ１００Ｎ）を用いて測定することができる。測定方法は、２５ｍｍ×１３０ｍｍに裁断した試料を作成し、あらかじめ長手方向５ｃｍを剥がして引き剥がし口を形成しておき、２０℃条件下において、チャック間５０ｍｍ、引張速度３００ｍｍ／ｍｉｎの条件で、前述の引き剥がし口から３０ｍｍの長さを引張試験機にて剥離して測定する。試料は長手方向が製品タテ方向となるものと、長手方向が製品ヨコ方向となるものの二種類を作成し、それぞれについて測定した値を平均して測定値とする。
【００５２】
前記防水シート４は、ＪＩＳ  Ｌ１０９６に準じた引裂試験で測定した引裂強度が１０〜５０ｇｆ／３０ｍｍ程度のものを使用するのが好ましい。なお、引裂試験は同ＪＩＳに規定されるＡ−１法（シングルタング法）とされる。このＡ−１法（シングルタング法）は、１０ｃｍ×２５ｃｍの試験片を縦方向及び横方向にそれぞれ３枚採取し、短辺の中央の辺に直角に１０ｃｍの切れ目を入れた後、幅５ｃｍ以上のクランプを持つ引張試験機を用いて、試験片のつかみ間の距離を１０ｃｍとし、各舌片を上下のクランプと直角に挟む。引張速度は１０ｃｍ／ｍｉｎとし、縦方向及び横方向に引き裂くときの最大荷重（Ｎ）を測るものである。
【００５３】
前記被覆シート固定用粘着剤層１３の目付としては、１５〜３０ｇ／ｍ２程度とするのがよい。１５ｇ／ｍ２未満では、防水シート４に引裂線１５を設けた場合この引裂線１５から浸出した尿を堰き止める効果が低くなる。
【００５４】
前記被覆シート固定用粘着剤層１３の形成パターンとしては、図９に示されるように、前記摘み部１１ａを除く被覆シート１１の全面に設けることができる。このパターンでは、被覆シート１１の開口予定部分１０に対応する中央部から外周延在部分にかけて被覆シート固定用粘着剤層１３が連続的に設けられるようになる。これにより、開口予定部分１０の全面が被覆シート固定用粘着剤層１３で覆われるため、開口予定部分１０の周囲に沿って防水シート４を引き裂きやすくなる効果がある。
【００５５】
また、前記被覆シート固定用粘着剤層１３の形成パターンの変形例としては、図１０に示されるように、開口予定部分１０の周囲において内外方向に間隔をあけた中央部１３ａと外周部１３ｂとにそれぞれ設けたパターンとすることも可能である。このパターンでは、例えば開口予定部分１０の周囲に沿ってミシン目等の引裂線１５を形成したとき、仮にこの引裂線１５に重ねて粘着剤層を設けた場合には粘着剤層の粘着力によって引裂線１５で引き裂きにくくなる問題が解消できるようになる。中央部１３ａと外周部１３ｂとの離間幅は、１〜１０ｍｍ程度とするのがよい。
【００５６】
前記被覆シート１１を剥離するには、図７に示されるように、摘み部１１ａを指で摘んで、端部から徐々に外方側にめくり上げるようにする。これにより、被覆シート１１の開口予定部分１０に対応する領域より外側の外周延在部分では、被覆シート１１が被覆シート固定用粘着剤層１３から剥離し、被覆シート１１の開口予定部分１０に対応する中央部分では、前記被覆シート固定用粘着剤層１３によって被覆シート１１に剥離不能に接合された開口予定部分１０の防水シート４が引き裂かれて、被覆シート１１とともに取り除かれるようになる。これによって、防水シート４に開口１４が形成されるとともに、その開口１４の周囲に被覆シート固定用粘着剤層１３の外周部分が残るようになる。この被覆シート固定用粘着剤層１３の外周部分は、アウター３０に装着する際のズレ止め粘着剤層として利用することができる。
【００５７】
ところで、前記開口予定部分１０の形状は、図３に示されるように、略矩形状としてもよいし、図１１に示されるように、(A)円形、(B)楕円形、(C)菱形、(D)多角形などで形成することもできる。長手方向端部からの引裂を容易にするため、縦長の形状で形成するのが好ましく、引き裂き開始端の形状が狭くなった(B)楕円形や(C)菱形が寄り好ましい。
【００５８】
以上の構成からなる本インナーパッド１においては、前記被覆シート１１を剥離せずにアウター３０に装着する簡易交換用としての使用態様において、前記開口予定部分１０より広い領域が被覆シート固定用粘着剤層１３によって覆われているため、開口予定部分１０の周囲に沿って防水シート４にミシン目等の引裂線１５を形成した場合に、この引裂線１５から尿が浸出しても、前記被覆シート固定用粘着剤層１３によって堰き止められるのでアウター３０に尿が漏れ出すのが防止できるようになる。
【００５９】
また、補助吸収用としての使用態様においては、前記被覆シート１１を剥離することにより、防水シート４が開口予定部分１０の周囲に沿って引き裂かれ、開口１４が形成されるため、この開口１４を通ってアウター３０に尿がスムーズに移行できるようになる。
【００６０】
更に、本インナーパッド１では、防水シート４に予め開口を設けず、補助吸収用として使用する場合に被覆シート１１を剥離することにより開口１４を形成するようにしているため、予め防水シート４に開口を設ける製造工程を省くことができ、製造工程が簡略化できるようになる。
【００６１】
次いで、前記インナーパッド１の変形例について説明すると、図１２に示されるように、防水シート４の非肌側に、前記開口予定部分１０と一致する開口部１７が形成されたバックシート１６が接合されるとともに、前記被覆シート１１がバックシート１６の開口部１７を通して防水シート４の開口予定部分１０と剥離不能に接合されるようにすることができる。前記防水シート４にバックシート１６を接合することによって、開口予定部分１０より外側の防水シート４が前記バックシート１６によって補強され、防水シート４が開口予定部分１０の周囲に沿って引き裂きやすくなる。前記バックシート１６としては、上記トップシート３と同様に、有孔または無孔の不織布や多孔性プラスチックシートなどを用いてもよいし、上記防水シート４と同様に、プラスチックフィルムやラミネート不織布などを用いてもよい。前記防水シート４とバックシート１６とは、特にバックシート１６の開口部１７の周囲に沿って連続した接合部によって接合され、それ以外の領域でもほぼ全面に亘って接合されるようにするのが好ましい。前記被覆シート固定用粘着剤層１３の外周部分は前記バックシート１６に設けられ、前記被覆シート１１によって剥離可能に覆われている。
【符号の説明】
【００６２】
１…インナーパッド、２…吸収体、３…トップシート、４…防水シート、１０…開口予定部分、１１…被覆シート、１２…防水シート固定用粘着剤層、１３…被覆シート固定用粘着剤層、１４…開口、１５…引裂線、１６…バックシート、１７…開口部、３０…アウター
【図１】
0006550312.tif 000002
【図２】
0006550312.tif 000003
【図３】
0006550312.tif 000004
【図４】
0006550312.tif 000005
【図５】
0006550312.tif 000006
【図６】
0006550312.tif 000007
【図７】
0006550312.tif 000008
【図８】
0006550312.tif 000009
【図９】
0006550312.tif 000010
【図１０】
0006550312.tif 000011
【図１１】
0006550312.tif 000012
【図１２】
0006550312.tif 000013